(57)【要約】【課題】プロジェクターと投影システムとユーザーインターフェイスとが開示される。投影システムの例は、画像を投影するのに適した投影装置を含む。【解決手段】ユーザーインターフェイスは、投影装置と通信状態で使用され、投影装置のいくつかのプロジェクター設定を制御するように構成されている。ユーザーインターフェイスは、第１レベルメニュー項目と第２レベルメニュー項目のリストとを第２ハイライト輪郭の中に同時に表示するように構成されている。第２レベルメニュー項目のリストの表示は、第１レベルメニュー項目の選択により開始される。【選択図】図３
2014032690.tif 000002
【特許請求の範囲】
【請求項１】
画像を投影するのに適した投影装置と、
前記投影装置のいくつかのプロジェクター設定を制御するように構成された、前記投影装置との通信状態にあるユーザーインターフェイスであって、第１レベルメニュー項目と第２レベルメニュー項目のリストとを第２ハイライト輪郭の中に同時に表示するように構成されたユーザーインターフェイスであり、前記第２レベルメニューリストの表示が前記第１レベルメニュー項目の選択により開始される、ユーザーインターフェイスと、を包含する投影システム。
【請求項２】
前記第２ハイライト輪郭が、前記第１レベルメニュー項目の周囲の第１平行四辺形と、前記第２レベルメニュー項目のリストの周囲の第２平行四辺形とを含み、
前記第１平行四辺形が、前記第２平行四辺形より小さく、前記第１平行四辺形の第１平行四辺形エッジに沿って前記第２平行四辺形と交線で交わり、
前記第２平行四辺形が、前記第２平行四辺形の第２平行四辺形エッジの一部分に沿って前記第１平行四辺形と前記交線で交わり、
前記交線が前記第２ハイライト輪郭の一部として顕在していない、請求項１の投影システム。
【請求項３】
前記ハイライト輪郭が６辺形または８辺形を形成する、請求項２の投影システム。
【請求項４】
前記ユーザーインターフェイスが、
低レベルメニュー状態から高レベルメニュー状態への前記ユーザーインターフェイスの第１移行を実施するように構成されたユーザー選択可能なセレクトボタンと、
高レベルメニュー状態から低レベルメニュー状態への前記ユーザーインターフェイスの第２移行を実施するように構成されたユーザー選択可能なメニューボタンと、
項目識別子を前記第２レベルメニュー項目リスト内で選択位置へと選択的に上下スクロールするように構成されたユーザー選択可能なスクロールボタンと、
第２移行の際に前記選択位置を保存するように構成された第２レベルメモリーであって、次の第１移行時に前記選択位置がメモリーから復元される、第２レベルメモリーと、を含む、請求項１の投影システム。
【請求項５】
前記低レベルメニュー状態と前記高レベルメニュー状態の各々が一つ以上のフォーカスを有し、各フォーカスが、前記第１レベルメニュー項目、前記第２レベルメニュー項目、一つ以上の第３レベルメニュー項目、前記ハイライト輪郭、前記項目セレクター、およびスライダーのうち一つ以上の特定の組合せおよび／または位置を有し、前記低レベルメニュー状態と前記高レベルメニュー状態の各々が、前のフォーカスを保存および復元するように構成されたメモリーを有する、請求項４の投影システム。
【請求項６】
前記低レベルメニュー状態が第１レベルメニュー状態であって前記高レベルメニュー状態が第２レベルメニュー状態であり、前記ユーザーインターフェイスが前記第２レベルメニュー状態である時に前記第１および第２レベルメニュー項目が前記第２ハイライト輪郭の中に表示され、前記ユーザーインターフェイスが前記第１レベルメニュー状態である時に前記第１レベルメニュー項目が前記第１ハイライト輪郭の中に表示される、請求項４の投影システム。
【請求項７】
前記ユーザーインターフェイスがさらに、前記第１レベルメニュー項目および前記第２レベルメニュー項目のリストの表示と同時に第３レベルメニュー項目を追加表示するように構成され、前記第３レベルメニュー項目は前記第２レベルメニュー項目の一つの選択によって開始され、前記第２レベルメニュー項目の一つと前記第３レベルメニュー項目とが第３ハイライト輪郭の中に表示される、請求項１の投影システム。
【請求項８】
前記第３ハイライト輪郭が、前記第２レベルメニュー項目の周囲の第３平行四辺形と前記第３レベルメニュー項目の周囲の第４平行四辺形とを含み、
前記第３平行四辺形が、前記第４平行四辺形より小さく、前記第３平行四辺形の第３平行四辺形エッジに沿って前記第４平行四辺形と交線で交わり、
前記第４平行四辺形が、前記４平行四辺形の第４平行四辺形エッジの一部分に沿って前記第３平行四辺形と前記交線で交わり、
前記交線が前記第３ハイライト輪郭の一部として顕在していない、請求項７の投影システム。
【請求項９】
前記第３平行四辺形が、重複部分において前記第２平行四辺形の上を前記第２ハイライト輪郭へ延出する、請求項８の投影システム。
【請求項１０】
前記投影装置が投影装置本体を有し、さらに、少なくとも前記ユーザーインターフェイスの出力を表示するように構成された前記投影装置の表示スクリーンを包含する、請求項１の投影システム。
【請求項１１】
前記第２レベルメニュー項目リストが該第２レベルメニュー項目リストの顕在サブセットを含み、該顕在サブセットが所定数のメニュー項目の長さであり、スクロールボタンの選択により実施される、前記メニュー項目リストの前記顕在サブセットの下部または上部への前の非顕在アイテムの連続的な表示と、これに応じて前記メニュー項目リストの前記顕在サブセットの下部または上部の他方からの連続的な消去とにより、前記所定数のメニュー項目の長さで残るように前記可変サブセットを維持することで、前記顕在サブセットが可変である、請求項１の投影システム。
【請求項１２】
前記ユーザーインターフェイスが、前記ブランクスクリーン状態が開始された時からの経過時間を示すタイマーを表示するのに適している、請求項１の投影システム。
【請求項１３】
前記ブランクスクリーンタイマーがレベル０メニュー状態で開始され、少なくとも前記第１レベルメニュー項目を表示するように構成された第１レベルメニュー状態からの前記ユーザーインターフェイスの第１移行を実施する際に、前記レベル０メニュー状態に達する、請求項１２の投影システム。
【請求項１４】
画像を投影するのに適した投影装置と、
前記投影装置との通信状態にあるユーザーインターフェイスと、を包含し、
前記ユーザーインターフェイスが、第１レベルメニュー状態と第２レベルメニュー状態とを有するメニュー構造を有し、前記第２レベルメニュー状態が、前記投影装置の複数のプロジェクター設定を変更させ、前記第１レベルメニュー状態にある時に前記複数のプロジェクター設定が変更可能でなく、さらに、
前記メニュー構造のナビゲーションを行うように構成され、前記第１レベルメニュー状態から前記第２レベルメニュー状態への前記ユーザーインターフェイスの第１移行を実施するとともに前記第２レベルメニュー状態から前記第１レベルメニュー状態への前記ユーザーインターフェイスの第２移行を実施するように構成された二つ以上のキーを有するキーパッド、を包含し、
前記ユーザーインターフェイスがノンロックアウト状態とロックアウト状態とを有し、前記ノンロックアウト状態が前記第１移行および前記第２移行を可能にし、前記ロックアウト状態が少なくとも前記第１移行を不可能にするので、前記第２レベルメニュー状態からの前記複数のプロジェクター設定の変更が不可能となり、前記ノンロックアウト状態と前記ロックアウト状態のいずれかにある前記キーパッドから、前記複数のプロジェクター設定のサブセットが変更可能である、投影システム。
【請求項１５】
前記ユーザーインターフェイスがさらに、前記第２レベルメニュー状態にある時には第１レベルメニュー項目と第２レベルメニュー項目のリストとを第２ハイライト輪郭の中に同時に表示するように構成され、前記第２レベルメニュー項目リストの表示が前記第１レベルメニュー項目の選択により開始される、請求項１４の投影システム。
【請求項１６】
前記第２ハイライト輪郭が、前記第１レベルメニュー項目の周囲の第１平行四辺形と、前記第２レベルメニュー項目リストの周囲の第２平行四辺形とを含み、
前記第１平行四辺形が、前記第２平行四辺形より小さく、前記第１平行四辺形の第１平行四辺形エッジに沿って前記第２平行四辺形と交線で交わり、
前記第２平行四辺形が、該第２平行四辺形の第２平行四辺形エッジの一部分に沿って前記第１平行四辺形と交線で交わり、
前記交線が前記ハイライト輪郭の一部として顕在していない、請求項１５の投影システム。
【請求項１７】
前記ハイライト輪郭が６辺形または８辺形を形成する、請求項１６の投影システム。
【請求項１８】
投影装置の一つ以上のプロジェクター設定を変更するように構成された投影装置用のユーザーインターフェイスであって、
メニュー項目のリストと、
所定数のメニュー項目の長さである前記メニュー項目リストの顕在サブセットと、を包含し、
スクロールボタンの選択により実施される、前記メニュー項目リストの前記顕在サブセットの下部または上部への前の非顕在項目の連続的な表示と、対応する前記メニュー項目リストの前記顕在サブセットの前記下部または前記上部の他方からの連続的な消去とにより、前記所定数のメニュー項目の長さを残すように前記可変サブセットを維持することで、前記顕在サブセットが可変である、ユーザーインターフェイス。
【請求項１９】
前記ユーザーインターフェイスが、第１レベルメニュー項目と前記第２レベルメニュー項目リストの前記顕在サブセットとを第２ハイライト輪郭の中に同時に表示するように構成され、前記リストメニュー項目の前記顕在サブセットの表示が、前記第１レベルメニュー項目の選択により開始される、請求項１８のユーザーインターフェイス。
【請求項２０】
前記ユーザーインターフェイスがさらに、他の第１レベルメニュー項目を非ハイライト状態で表示するように構成される、請求項１８のプロジェクターアセンブリ。
【請求項２１】
画像を投影するのに適した投影装置と、
前記投影装置との通信状態にあるユーザーインターフェイスであって、ブランクスクリーン状態が開始された時からの経過時間を示すタイマーを表示するのに適したユーザーインターフェイスと、を包含するプロジェクターアセンブリ。
【請求項２２】
前記タイマーが一定間隔でカウントアップするように構成される、請求項２１のプロジェクターアセンブリ。
【請求項２３】
前記ユーザーインターフェイスが前記タイマーの周囲に背景画像を表示するのに適している、請求項２１のプロジェクターアセンブリ。
【請求項２４】
前記背景画像が捕捉された画像またはロゴである、請求項２３のプロジェクターアセンブリ。
【発明の詳細な説明】
【背景技術】
【０００１】
マルチメディア投影装置は、販売実演の実施、仕事のミーティング、教室での学習などの目的のためと、ホームシアターでの使用のために、ポピュラーなものとなっている。投影装置はたいてい、色、鮮明度などの多くの調節可能な設定を含む。これらの設定をユーザーが調節できるように構成されたインターフェイスが投影装置に含まれることが多い。しかし、現在の投影装置インターフェイスは、ナビゲーションが困難で、直感性が不充分で、情報面でも不充分である。投影装置に使用される現在のインターフェイスは、メニュー構造内でのナビゲーション時にユーザーが迷ってしまう、および／または調節のために探索後の設定がメニュー構造内のどこで見つかったかを覚えていることが困難である。
【発明の概要】
【課題を解決するための手段】
【０００２】
一実施形態において、本発明は、画像の投影に適した投影装置を含む投影システムを提供する。ユーザーインターフェイスは、投影装置との通信状態で使用され、投影装置のいくつかのプロジェクター設定を制御するように構成されている。ユーザーインターフェイスは、第１レベルメニュー項目と第２レベルメニュー項目のリストとを同時に第２ハイライト輪郭の中に表示するように構成されている。第２レベルメニュー項目のリストの表示は、第１レベルメニュー項目の選択により開始される。
【図面の簡単な説明】
【０００３】
【図１】投影システムを図示する概略図である。
【図２】図１の投影システムのプロジェクター設定を制御するのに使用されるユーザーインターフェイスのディスプレイの例を図示している。
【図３】図１の投影システムのためのプロジェクター設定を制御するのに使用されるユーザーインターフェイスのディスプレイの別の例を図示している。
【図４Ａ】ユーザーインターフェイスに含まれる四つの異なる第２ハイライト輪郭を図示している。
【図４Ｂ】ユーザーインターフェイスに含まれる四つの異なる第２ハイライト輪郭を図示している。
【図４Ｃ】ユーザーインターフェイスに含まれる四つの異なる第２ハイライト輪郭を図示している。
【図４Ｄ】ユーザーインターフェイスに含まれる四つの異なる第２ハイライト輪郭を図示している。
【図５Ａ】メニュー構造の例を図示する概略図である。
【図５Ｂ】ユーザーインターフェイスに入力を提供してメニュー構造をナビゲーションするのに使用されるボタンの例を図示している。
【図６Ａ】投影装置の様々な例の複数のプロジェクター設定を設定および／または変更するのに使用されるユーザーインターフェイスのディスプレイの別の例を図示している。
【図６Ｂ】投影装置の様々な例の複数のプロジェクター設定を設定および／または変更するのに使用されるユーザーインターフェイスのディスプレイの別の例を図示している。
【図７】キーパッド２４の例を図示する概略図である。
【図８Ａ】図１の投影システムのためのプロジェクター設定を制御するのに使用されるユーザーインターフェイスのディスプレイのさらに別の例を図示している。
【図８Ｂ】図１の投影システムのためのプロジェクター設定を制御するのに使用されるユーザーインターフェイスのディスプレイのさらに別の例を図示している。
【図８Ｃ】図１の投影システムのためのプロジェクター設定を制御するのに使用されるユーザーインターフェイスのディスプレイのさらに別の例を図示している。
【図９】レベル０メニュー状態とタイマーとを示すユーザーインターフェイスのディスプレイの例を図示している。
【発明を実施するための形態】
【０００４】
図１は、本発明の実施形態の例を示す。投影システム１０は投影装置１２を含む。投影装置１２は、スクリーン、壁、他の投射面またはエリアを含むがこれらに限定されない適当な表示面１６に画像１４を投影するのに適している。ここで使用される際に、投影装置１２または画像作成装置は、デジタルプロジェクター、液晶ディスプレイ（ＬＣＤ）プロジェクター、デジタル光処理プロジェクターなどを含むがこれらに限定されない適当な表示装置または画像プロジェクターを含む。
【０００５】
投影装置１２は、表示スクリーン２０を含むか、これに結合された投影装置本体１８を有する。表示スクリーン２０は、投影装置１２の一つ以上の状態に関する出力および／または情報を表示するように構成されている。投影装置１２の一つ以上の状態に関する出力および／または情報は、投影された画像１４により、または画像内にも提供されるか、あるいは表示スクリーンの代わりに提供される。入力は、キーパッド２４上の一つ以上の投影装置本体ボタン２２を介して投影装置１２に提供される。いくつかの例では、ボタン２２は物理的ボタンであって、例えば機械的に操作される。他の例では、ボタン２２は、ポインティングデバイスで操作されるディスプレイ上の仮想ボタンであるか、タッチ感応ディスプレイ上の仮想ボタンである。
【０００６】
表示スクリーン２０は、ユーザー読取可能な情報を表示するのに適している。表示される情報は、文章、図形、および／または映像の形を取る。場合によっては、表示スクリーン２０は画素化画像を提示できる。表示スクリーン２０は、液晶ディスプレイ（ＬＣＤ）または他の適当なディスプレイでよい。
【０００７】
図示されたこの例では、表示スクリーン２０は図１に示されているように投影装置の上面に設けられている。あるいは、投影装置の背面または側面に表示スクリーン２０が設けられてもよい。表示スクリーン２０が投影装置の本体に配置される時には、「搭載」ディスプレイと呼ばれる。
【０００８】
投影装置本体ボタン２２により提供される入力、表示スクリーン２０により提供される出力、および／または投影画像１４は、ユーザーインターフェイス３０の一部として含まれる。ユーザーインターフェイス３０は投影装置１２との通信状態にあり、投影装置１２の一つ以上のプロジェクター設定を制御するように構成されている。
【０００９】
リモコン２６は、投影装置１２との通信のために連結されている。ある実施形態では、プロジェクター本体ボタン２２に追加して、あるいはこれに代わって用意されるリモコンボタン２８を含むようにリモコンが構成される。リモコンボタン２８は、入力として、またはユーザーインターフェイス３０の入力の一部として含まれ、投影装置１２の一つ以上のプロジェクター設定を調節するように構成されている。
【００１０】
別の代替例として、表示スクリーン２０が投影装置本体１８から遠隔状態で設けられて、有線または無線技術を介して投影装置と電子通信状態にあってもよい。例えば、表示スクリーン２０は、おそらくはリモコン２６を含む遠隔装置に配置される。さらに、ユーザーインターフェイス３０は、図示された例に見られるようなラップトップコンピューター２８などの計算機器の形を取るか、これに類似している。ユーザーインターフェイス３０の形の他の例は、装着されたコードを介して、Ｂｌｕｅｔｏｏｔｈ（登録商標）TM無線技術により、モデムを介して、または他の何らかの方法で投影装置と通信を行う携帯情報端末（ＰＤＡ）または携帯電話を含む。
【００１１】
さらに、投影システム１０は、ユーザーインターフェイスを二つ以上含んでもよい。例えばいくつかの実施形態では、投影装置１２の本体に配置された第１ユーザーインターフェイスと、例えばＢｌｕｅｔｏｏｔｈTM無線技術により投影装置と通信を行う第２遠隔ユーザーインターフェイスとを含むことが望ましい。
【００１２】
投影装置１２は、プロセッサー３２とメモリー３４とを含む。プロセッサー３２とメモリー３４とは、投影装置１２に内在していても、これに結合されてもよい。ソフトウェアはメモリー３４に内在しており、ユーザーインターフェイス３０を実行するように構成されている。プロセッサー３２は、中央処理ユニット（ＣＰＵ）、または投影装置１２の動作を制御するための他の適当な制御装置の形を取る。こうしてプロセッサー３２は、投影装置１２の動作および／または機能を管理するように構成される。例えば、プロセッサー３２は、演算プログラム、メニュープログラム、ユーザーインターフェイスプログラムなどを管理する。
【００１３】
メモリー３４は、揮発性メモリーおよび／または不揮発性メモリーを含む。不揮発性メモリーは、永続または半永続データを記憶するのに利用される。このような不揮発性メモリーは、ＲＯＭ、ＰＲＯＭ、ＥＰＲＯＭ、ＥＥＰＲＯＭ、およびフラッシュメモリー、これらの組合せを含むがこれらに限定されない適当なタイプの不揮発性メモリーでよい。揮発性メモリーは、画像と命令とを含む一時的データを記憶するのに利用される。揮発性メモリーは、ＳＲＡＭ，ＤＲＡＭなど、一つ以上の適当なタイプの揮発性メモリーを含む。メモリー３４は、後述するいくつかの記憶位置を含む。
【００１４】
一つ以上のプロジェクター設定は、投影装置１２の一つ以上の状態を指示する、および／またはこれに影響を与える。ユーザーインターフェイス３０は、単純化のためここでは多くの投影装置設定の中に含まれるとみなす投影装置コマンドも受け取る。調節されるように構成された可能な投影装置設定の数は、ここに挙げるには多すぎる。単に例示的な投影装置設定のリストは、アスペクト比、キーストーン、色、輝度、色温度、ランプ寿命、シリアルナンバー、ソース、ボリュームなどを含む。非常に多くの設定および／またはコマンドが可能である。
【００１５】
投影装置１２により投影されるコンテンツを提供するため、表示信号ソース３６が投影装置１２に結合されている。表示信号ソース１８は例えば、ここに図示されているラップトップコンピューター２８などの計算機器である。表示信号ソース３６からのコンテンツは例えば、説明または映像などである。コンテンツは、一つ以上のデジタルファイルの形である。表示信号ソース３６は、プロセッサー、メモリーや、表示信号ソース３６の機能のために構成された他の要素を含む。表示信号ソース３６は、投影装置１２により表示された時にコンテンツの外観を調節する様々なソース装置設定を調節するように構成された機能も含む。ソース装置設定は投影装置設定と異なり、一つ以上の投影装置設定の調節と一つ以上のソース設定との調節の結果は異なっている。プロジェクター設定はソース設定よりも優先され、プロジェクター設定の調節は、単一または多数の表示信号ソース１８からの多数のコンテンツ項目の表示に影響する。加えて、ソース装置設定と投影装置設定との様々な組合せが、様々な作用をもたらす。
【００１６】
図２は、ユーザーインターフェイス３０とともに使用するように構成された、図１に図示された投影装置１２の表示スクリーン２０に表示されるメニュー構造３９の一実例を図示している。多くの第１レベルメニュー項目４０、例えば４個の第１レベルメニュー項目４０が、この例ではユーザーインターフェイス３０の左側に示されている。第１レベルメニュー項目４０はアイコンである。いくつかの実施形態では、第１レベルメニュー項目のうちの選択された一つが、選択時に外観を変える。例えば色を変える。図示された実例は、メニュー構造３９の第１レベルの一例であり、第１レベルメニュー項目４０のうちの選択された一つの周囲に第１ハイライト輪郭４２を示す。インターフェイスはさらに、他の第１レベルメニュー項目４０を非ハイライト状態で表示するように構成されてもよい。
【００１７】
図３は、ユーザーインターフェイス３０メニュー構造３９の第２レベルを示すユーザーインターフェイス３０の別の実例を図示している。ユーザーインターフェイス３０は投影装置１２との通信状態にあり、投影装置１２のいくつかのプロジェクター設定を制御するように構成されている。ユーザーインターフェイス３０は、第１レベルメニュー項目４０と第２レベルメニュー項目４４のリストとを第２ハイライト輪郭４６の中に同時に表示するように構成されている。第２レベルメニュー項目４４のリストの表示は、第１レベルメニュー項目４０の選択により開始される。
【００１８】
いくつかの例において第２ハイライト輪郭４６は、第１レベルメニュー項目４０の周囲の第１平行四辺形４８と、第２レベルメニュー項目４４のリストの周囲の第２平行四辺形５０とを含む。第１平行四辺形４８は第２平行四辺形５０より小さく、第１平行四辺形４８の第１平行四辺形エッジ５２に沿って第２平行四辺形５０と交線５４で交わる。第２平行四辺形は、第２平行四辺形５０の第２平行四辺形エッジ５６の一部分に沿って第１平行四辺形４８と交線５４で交わる。交線５４は、第２ハイライト輪郭４６の一部として顕在していない。こうして第１平行四辺形４８および第２平行四辺形５０の内側のエリアは、単一エリアに見える。またこうして、第２平行四辺形５０は第１平行四辺形４８の伸張部に見える。第１平行四辺形４８は、第２平行四辺形５０から突出するタブ５６に見える。またこうして、選択履歴が明らかとなり、これによってユーザーはより直感的かつ容易にユーザーインターフェイス３０のメニュー構造のナビゲーションを辿ることができる。
【００１９】
第２ハイライト輪郭４６は、６辺形または８辺形を形成してもよい。図４Ａ〜４Ｄは、第２ハイライト輪郭４６の四つの例を図示している。図４Ａは図３に示された第２ハイライト輪郭４６の例と類似しており、６辺形である。第１平行四辺形４８は、第１レベルメニュー項目４０の一番目を覆う位置に示されている。図４Ｂは、第１レベルメニュー項目４０の二番目を覆う位置に第１平行四辺形４８が示されている８辺形のハイライト輪郭４６を図示している。図４Ｃは、第１レベルメニュー項目４０の三番目を覆う位置に第１平行四辺形４８が示されている、やはり８辺形のハイライト輪郭４６を図示している。図４Ｄは、第１レベルメニュー項目４２の四番目を覆う位置に第１平行四辺形４８が示されている６辺形のハイライト輪郭４６を図示している。四つの例すべてにおいて、第２ハイライト輪郭４６の角部はフィレット処理されている。方形、面取り、角部など、他の形態も可能である。いくつかの例では、第２ハイライト輪郭４６は他の辺数を有する。
【００２０】
図５Ａは、様々な実施形態によるユーザーインターフェイス３０の例をナビゲーションするのに使用される四つのメニュー状態を有するメニュー構造３９の例を図示する概略図である。他の数のメニューレベルも可能である。図５Ｂは、図１に示されたボタン２２と同じか類似している四個のボタン２２の例を図示している。ボタン２２は、ユーザーインターフェイス３０に入力を提供して、一つのメニューレベルから別のメニューレベルへメニュー構造３９を移行させ、項目間をスクロールし、メニュー構造の中の項目を選択することにより、メニュー構造３９をナビゲーションするのに使用される。
【００２１】
メニュー構造３９は、レベル０メニュー状態６０とレベル１メニュー状態６２とレベル２メニュー状態７０とレベル３メニュー状態８６を含む。ユーザー選択可能なメニューボタン６４は、レベル０メニュー状態６０からレベル１メニュー状態６２へメニュー構造３９を移行させて、再び戻るように構成されている。他のレベル間移行では、低レベルメニュー状態、例えばレベル１メニュー状態６２から高レベルメニュー状態、例えばレベル２メニュー状態７０へのユーザーインターフェイス３０の第１移行６８を実施するのにセレクトボタン６６を使用し、高レベルメニュー状態つまりレベル２メニュー状態６２から低レベルメニュー状態つまりレベル１メニュー状態６２へのユーザーインターフェイスの第２移行７２を実施するのにメニューボタン６４を使用する。
【００２２】
やはり図５Ａおよび５Ｂを参照するが、再び図３も参照すると、二つのユーザー選択可能なスクロールボタン７４は、第２レベルメニュー項目４４のリストの中で選択位置８０へと項目識別子７６を選択的に上下スクロール７８させるように構成されている。項目識別子７６は、第４ハイライト輪郭でもよい。この例では第２レベルメモリー８２および／または例えばメモリー３４（図１）の記憶位置の上位メモリーは、第２移行７２の際に選択位置７６を保存するように構成され、次の第１移行６８の際には、選択位置が第２レベルメモリー８２から選択位置が呼び出される。
【００２３】
同様に、他のメニュー状態は、特定のメニュー状態から移行してから特定のメニュー状態へ戻るように移行する際に復元される一つ以上のナビゲーション設定を保存するように構成された、それぞれの対応のメモリー８４または記憶位置を有する。こうして、メモリー８２，８４は、前のメニューフォーカス、例えばスクロール位置などを保存して復元する。これにより、表示装置の設定を点検、設定、変更しようとする時に、ナビゲーションを辿ることがより直感的かつ容易となる。
【００２４】
場合によっては、項目識別子７６の中にある特定の項目または設定を選択するのにセレクトボタン６６が使用される。選択時には、レベル２メニュー状態７０からレベル３  ８６  メニュー状態への第２移行７２において図示されているように、場合によってはメニュー構造が別のメニュー状態に移行する。他の場合には、特定の項目または設定が選択されると、第３移行８８として示されているようにメニュー構造３９がレベル０メニュー状態６０に戻る。さらに場合によっては、セレクトボタン６６を用いて特定の項目または設定または数値がレベル３メニュー状態８６において選択されると、メニュー構造３９はレベル２メニュー状態７０へ戻る第２移行７２を行う。
【００２５】
図６Ａおよび６Ｂは、ユーザーインターフェイス３０のメニュー構造３９のレベル３メニュー状態８６を示すユーザーインターフェイス３０の二つの実例を図示している。ユーザーインターフェイス３０はさらに、第１レベルメニュー項目４０および第２レベルメニュー項目４４のリストの表示と同時に、一つ以上の第３レベルメニュー項目９０を付加的に表示するように構成されており、第３レベルメニュー項目９０は第２レベルメニュー項目４４の一つの選択により開始される。第２レベルメニュー項目４４の一つと第３レベルメニュー項目９０とが、第３ハイライト輪郭９２の中に表示される。第３レベルメニュー項目９０は、例えば一つ以上の設定または数値である。スライダー１０８または他の視覚的な数値表示を用いて、図６Ｂに示されているように数値が表される。
【００２６】
メニュー状態の各々は、一つ以上のフォーカスを有する。各フォーカスは、第１レベルメニュー項目、第２レベルメニュー項目、一つ以上の第３レベルメニュー項目、ハイライト輪郭、項目セレクター、そしてスライダーのうち一つ以上の特定の組合せおよび／または位置を有する。メニュー状態の各々は、フォーカスを保存して復元するように構成されたメモリーを有する。少なくとも特定のレベルから別のレベルへの変更が行われた際には、各フォーカスがそれぞれのレベルメモリーに保存される。ここで使用される際に、「フォーカス」の語は、ディスプレイ上の注目を引く一つ以上の特徴を含む項目または位置を指す。例えば、この語は現時点でハイライト表示されているメニュー項目を指す。他の場合に、この語は、表示される画像の鮮明度に影響するように調節可能であるプロジェクター設定を指してもよい。この語の使用の意味は、文脈から明らかになるだろう。
【００２７】
第３ハイライト輪郭９２は、第２レベルメニュー項目４４の周囲の第３平行四辺形９４と、一つ以上の第３レベルメニュー項目９０の周囲の第４平行四辺形９６とを含む。第３平行四辺形９４は第４平行四辺形９６より小さく、第３平行四辺形９４の第３平行四辺形エッジ９８に沿って第４平行四辺形９６と交線１００で交わる。第４平行四辺形９６は、第４平行四辺形９６の第４平行四辺形エッジ１００の一部分に沿って第３平行四辺形９４と交線１０２で交わる。交線１０２は、第３ハイライト輪郭９２の一部として顕在していない。第３平行四辺形９４は、重複部分１０４において第２平行四辺形５０の上を第２ハイライト輪郭４６まで延在する。
【００２８】
こうして、第４平行四辺形は、第３平行四辺形の伸張部に見える。第３平行四辺形９４は、第４平行四辺形９６から突出するタブに見えてもよい。やはりこうして、ユーザーインターフェイスは、選択履歴および現在メニュー項目を含む多数のフォーカスレベルを表示する。
【００２９】
第２ハイライト輪郭は、それぞれの第１レベルメニュー項目つまりレベル１のアイコンとともにメニュー項目を示す。メニュー選択とメニュー階層の中の１レベル高い方の項目の両方をハイライト輪郭の中に表示することは、グループボックス表示、つまりグループボックスにおける選択履歴の表示と呼ばれる。グループボックス表示をタブと統合して、選択オプションとそれぞれのメニュー／アイコンが一体的フォーカスで表示することができる。
【００３０】
さて図５Ａおよび５Ｂと図７とを参照すると、図７は、本開示による様々な投影装置の例の複数のプロジェクター設定を設定および／または変更するのに使用されるキーパッド２４の例を図示する概略図である。キーパッド２４は、画像を投影するのに適した投影装置を含む投影システムの一部である。ユーザーインターフェイスは、投影装置との通信状態にある。ユーザーインターフェイスは、第１レベルメニュー状態と第２レベルメニュー状態とを持つメニュー構造を有する。第２レベルメニュー状態により、投影装置の複数のプロジェクター設定が変更される。第１レベルメニュー状態にある時には、複数のプロジェクター設定は変更可能でない。キーパッド２４は、メニュー構造をナビゲーションするように構成された二つ以上のキーまたはボタン２２を有し、第１レベルメニュー状態から第２レベルメニュー状態へのユーザーインターフェイスの第１移行を実施するとともに、第２レベルメニュー状態から第１レベルメニュー状態へのユーザーインターフェイスの第２移行７２を実施するように構成されている。ユーザーインターフェイス３０は、ノンロックアウト状態とロックアウト状態とを有してもよい。ノンロックアウト状態では、第１移行および第２移行が許容される。ロックアウト状態では少なくとも第１移行が許容されず、そのため第２レベルメニュー状態からの複数のプロジェクター設定の変更が許容されない。しかし、ノンロックアウト状態とロックアウト状態のいずれかにおいて、複数のプロジェクター設定のサブセットがキーパッド２４から変更可能である。例えば、「基本画像」メニューがロックアウトされた場合には、基本画像メニューの「キーストーン」設定を変更することは不可能である。しかし、キーパッドのキーストーンボタン１０６を押すことでキーストーン値を変更できる。ロックアウトされるメニューの例は、基本画像、応用画像、セットアップおよびステータス、保守を含む。
【００３１】
ロックアウト状態にある時には、考えられる様々な投影システムユーザーのために、予め選択された様々なオプションが設定される。例えば、可能なプロジェクター設定のすべてまたは大部分を管理者が設定および／または変更できるようにする第１予選択オプションセットを管理者が有してもよい。一般ユーザーがプロジェクター設定のサブセットのみを変更できるようにする比較的限定された特典が、一般ユーザーには与えられてもよい。いくつかの例では、コマンドラインインターフェイス（ＣＬＩ）によりロックアウト状態が遠隔的に実施される。
【００３２】
様々な例では、ロックアウトを一時的に解除することが可能である。これが達成される状況の一つは、メニュー構造がレベル１メニュー状態にある時である。例えばセレクトを１０秒間押さえると、ロックアウトが解除する。次にメニュー構造はレベル２メニュー状態に移行する。この後、メニュー構造がレベル２メニュー状態に移行するまで、すべてのメニューについてロックアウトが解除されたままとなる。次にメニューが表示される時には、再びロックアウトが有効にされる。いくつかの例においては、ロックアウトが永続的に解除となる。これは例えば、管理者がＣＬＩコマンドなどを用いることにより行われる。他の場合には、初期化を実施することによって、ロックアウトが永続的に解除となる。
【００３３】
図８Ａ，８Ｂ，８Ｃは、投影装置１２の一つ以上のプロジェクター設定を変更するように構成された投影装置１２のためのユーザーインターフェイス３０の一部分を図示している。ユーザーインターフェイス３０は、メニュー項目２００のリストを含む。メニュー項目２００のリストの顕在サブセット２０２は、所定数のメニュー項目の長さである。顕在サブセット２０２は、第２ハイライト輪郭４６の中に含まれる。スクロールボタン７４の選択により実施される、メニュー項目２００のリストの顕在サブセット２０２の下部２０６または上部２０８への前の非顕在項目２０４の連続的な表示と、これに対応して、メニュー項目２００のリストの顕在サブセット２０２の下部２０６または上部２０８の他方からの連続的な消去とにより、所定数のメニュー項目の長さで残るように顕在サブセット２０２を維持することで、顕在サブセット２０２は変更可能である。連続リストインジケーター２１０は、いくつかの非顕在項目２０４があることを示す視覚的インジケーターとなる。メニュー項目２００のリストの最初または最後の項目を含むように顕在サブセット２０２がスクロールする時には、連続リストインジケーター２１０が表示または消去を変更し、最初の外観を持つか、最後の顕在項目の下または最初の顕在項目の上に非顕在項目がある時には再表示する。
【００３４】
図９は、プロジェクターアセンブリに含まれるユーザーインターフェイス３０の別の実例を図示している。プロジェクターアセンブリは、画像の投影に適した投影装置を含む。ユーザーインターフェイス３０は、投影装置との通信状態にある。ユーザーインターフェイス３０は、ブランクスクリーン状態が開始された時からの経過時間を示すタイマー２２０を表示するのに適している。タイマーは、一定間隔でカウントアップするように構成されている。こうして、プロジェクターがレベル０にあって解除されていない期間が、視覚的に明らかとなる。ブランクスクリーンタイマーはレベル０メニュー状態で開始され、少なくとも第１レベルメニュー項目を表示するように構成された第１レベルメニュー状態からのユーザーインターフェイスの第１移行を実施すると、レベル０メニュー状態に達する。いくつかの例では、ユーザーインターフェイス３０は、タイマー２２０の周囲に背景画像を表示するようにされている。背景画像は、捕捉された画像またはロゴである。
【００３５】
添付の請求項に先行する説明によってではなく、請求項によって発明の範囲が規定されるので、実施形態は例示的であって限定的ではなく、そのため請求項の境界またはその境界の同等物に含まれるすべての変更が請求項に包含されることを理解すべきである。
【符号の説明】
【００３６】
１０  投影システム  １２  投影装置  １４  画像  １６  表示面  １８  投影装置本体  ２２  ボタン  ２４  キーパッド  ２６  リモコン  ２８  ボタン／ラップトップコンピューター  ３０  ユーザーインターフェイス  ３２  プロセッサー  ３４  メモリー  ３６  表示信号ソース  ３９  メニュー構造  ４０  第１レベルメニュー項目  ４２  第１ハイライト輪郭  ４４  第２レベルメニュー項目  ４６  第２ハイライト輪郭  ４８  第１平行四辺形  ５０  第２平行四辺形  ５２  第１平行四辺形エッジ  ５４  交線  ５６  第２平行四辺形エッジ  ６０  レベル０メニュー状態  ６２  レベル１メニュー状態  ６４  メニューボタン  ６６  セレクトボタン  ６８  第１移行  ７０  レベル２メニュー状態  ７２  第２移行  ７４  スクロールボタン  ７６  項目識別子  ７８  上下スクロール  ８０  選択位置  ８２，８４  メモリー  ８６  レベル３メニュー状態  ８８  第３移行  ９０  第３レベルメニュー項目  ９２  第３ハイライト輪郭  ９４  第３平行四辺形  ９８  第３平行四辺形エッジ  １００  第４平行四辺形エッジ  １０２  交線  １０４  重複部分  １０６  キーストーンボタン  １０８  スライダー  ２００  メニュー項目リスト  ２０２  サブセット  ２０４  非顕在項目  ２０６  下部  ２０８  上部  ２１０  連続リストインジケーター  ２２０  タイマー。
【図１】
2014032690.tif 000003
【図２】
2014032690.tif 000004
【図３】
2014032690.tif 000005
【図４Ａ】
2014032690.tif 000006
【図４Ｂ】
2014032690.tif 000007
【図４Ｃ】
2014032690.tif 000008
【図４Ｄ】
2014032690.tif 000009
【図５Ａ】
2014032690.tif 000010
【図５Ｂ】
2014032690.tif 000011
【図６Ａ】
2014032690.tif 000012
【図６Ｂ】
2014032690.tif 000013
【図７】
2014032690.tif 000014
【図８Ａ】
2014032690.tif 000015
【図８Ｂ】
2014032690.tif 000016
【図８Ｃ】
2014032690.tif 000017
【図９】
2014032690.tif 000018
【手続補正書】
【提出日】平成25年10月16日(2013.10.16)
【手続補正２】
【補正対象書類名】特許請求の範囲
【補正対象項目名】全文
【補正方法】変更
【補正の内容】
【特許請求の範囲】
【請求項１】
画像を投影する投影装置であって、
前記投影装置の設定をするための設定メニューとユーザーの入力を受け付けるキーパッドを有するユーザーインターフェイスを備え、
前記設定メニューはロックアウト状態とノンロックアウト状態とを有し、
前記ロックアウト状態において、前記投影装置の設定の少なくとも一部は、前記設定メニューを介しての設定変更が不可能であるにもかかわらず、前記キーパッドの所定のキーの操作により変更可能であることを特徴とする投影装置。
【請求項２】
前記所定のキーの操作により変更可能な設定は、キーストーン補正であることを特徴とする請求項１に記載の投影装置。
【請求項３】
前記ロックアウト状態を一時的に解除する手段を備えていることを特徴とする請求項１または請求項２のいずれかに記載の投影装置。
【請求項４】
前記ロックアウト状態を一時的に解除する手段は、前記キーパッドの所定のキーを操作することであることを特徴とする請求項３に記載の投影装置。
【請求項５】
前記ロックアウト状態の一時的解除は、前記設定メニューが所定の状態に移行するまで有効であることを特徴とする請求項３または請求項４のいずれかに記載の投影装置。
【手続補正３】
【補正対象書類名】明細書
【補正対象項目名】０００１
【補正方法】変更
【補正の内容】
【０００１】
マルチメディア投影装置は、販売実演の実施、仕事のミーティング、教室での学習などの目的のためと、ホームシアターでの使用のために、ポピュラーなものとなっている。投影装置はたいてい、色、鮮明度などの多くの調節可能な設定を含む。これらの設定をユーザーが調節できるように構成されたインターフェイスが投影装置に含まれることが多い。しかし、現在の投影装置インターフェイスは、ナビゲーションが困難で、直感性が不充分で、情報面でも不充分である。投影装置に使用される現在のインターフェイスは、メニュー構造内でのナビゲーション時にユーザーが迷ってしまう、および／または調節のために探索後の設定がメニュー構造内のどこで見つかったかを覚えていることが困難である。
また、メニューがロックアウト状態である場合、投影装置の複数の設定の変更が許容されない。
【手続補正４】
【補正対象書類名】明細書
【補正対象項目名】０００２
【補正方法】変更
【補正の内容】
【０００２】
一実施形態において、本発明の投影装置は、投影装置の設定をするための設定メニューとユーザーの入力を受け付けるキーパッドを有するユーザーインターフェイスを備え、前記設定メニューはロックアウト状態とノンロックアウト状態とを有し、前記ロックアウト状態において、前記投影装置の設定の少なくとも一部は、前記設定メニューを介しての設定変更が不可能であるにもかかわらず、前記キーパッドの所定のキーの操作により変更可能であることを特徴とする。